【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
少なくともスピネル構造のリチウムマンガン複合酸化物を有する非水電解液二次電池用正極副活物質であって、
前記リチウムマンガン複合酸化物は、マンガンを除く遷移金属元素、周期表の２族、１３族および１４族の元素ならびにハロゲン元素からなる群から選ばれる少なくとも１種の元素を有し、かつ、
前記リチウムマンガン複合酸化物の結晶構造の１６ｃサイトにリチウムが存在する、非水電解液二次電池用正極副活物質。
【請求項２】
少なくともスピネル構造のリチウムマンガン複合酸化物を有する非水電解液二次電池用正極副活物質であって、
前記リチウムマンガン複合酸化物は、一般式Ｌｉ１＋ａ＋ｂＭｃＭｎ２−ｂ−ｃＤｄＸｅＢｆＳｇＯ４＋ｈ（Ｍはアルミニウムおよび／またはマグネシウムを表し、Ｄはチタン、ジルコニウムおよびハフニウムからなる群から選ばれる少なくとも１種を表し、Ｘはフッ素、塩素、臭素およびヨウ素からなる群から選ばれる少なくとも１種を表し、ａは１６ｃサイトに存在するリチウムの組成比を表し、ｂは１６ｄサイトに存在するリチウムの組成比を表し、ａは０＜ａ＜１．０を満たす数を表し、ｂは−０．２≦ｂ≦０．２を満たす数を表し、ｃは０＜ｃ≦０．２を満たす数を表し、ｄは０≦ｄ≦０．１を満たす数を表し、ｅは０≦ｅ≦０．０５を満たす数を表し、ｆは０≦ｆ≦０．０２を満たす数を表し、ｇは０≦ｇ≦０．１を満たす数を表し、ｈは−０．５≦ｈ≦０．５を満たす数を表す。）で表される、非水電解液二次電池用正極副活物質。
【請求項３】
リチウム化合物と、マンガン化合物と、マンガンを除く遷移金属元素、周期表の２族、１３族および１４族の元素ならびにハロゲン元素からなる群から選ばれる少なくとも１種の元素の化合物とを含有する原料混合物を得る工程と、
前記原料混合物を焼成し、粉砕して、スピネル構造のリチウムマンガン複合酸化物を得る工程と、
前記リチウムマンガン複合酸化物を、リチウムを含有する有機溶液に反応させ、非水電解液二次電池用正極副活物質を得る工程と
を有する、非水電解液二次電池用正極副活物質の製造方法。
【請求項４】
第１のリチウム遷移金属複合酸化物を有する主活物質と、第２のリチウム遷移金属複合酸化物を有する副活物質とを有する非水電解液二次電池用正極活物質であって、
前記副活物質は、請求項１もしくは２に記載の非水電解液二次電池用正極副活物質または請求項３に記載の非水電解液二次電池用正極副活物質の製造方法により得られる非水電解液二次電池用正極副活物質である非水電解液二次電池用正極活物質。
【請求項５】
前記第１のリチウム遷移金属複合酸化物は、リチウムコバルト複合酸化物、リチウムニッケル複合酸化物およびリチウムマンガン複合酸化物からなる群から選ばれる少なくとも１種である請求項４に記載の非水電解液二次電池用正極活物質。
【請求項６】
正極、負極、セパレータおよび非水電解液を有する非水電解液二次電池であって、下記Ｉを正極の正極活物質として、下記ＩＩを負極の負極活物質として用いる非水電解液二次電池。
Ｉ：請求項４または５に非水電解液二次電池用正極活物質。
ＩＩ：リチウムイオンを吸蔵放出可能な炭素材料またはリチウムイオンを吸蔵放出可能な化合物からなる非水電解液二次電池用負極活物質。
【手続補正２】
【補正対象書類名】明細書
【補正対象項目名】０００１
【補正方法】変更
【補正の内容】
【０００１】
本発明はリチウムイオン二次電池等の非水電解液二次電池用正極副活物質（以下、単に「正極副活物質」ともいう。）、非水電解液二次電池用正極活物質（以下、単に「正極活物質」ともいう。）および非水電解液二次電池に関する。詳しくは、過放電特性、サイクル特性、高温特性、出力特性等に優れる、スピネル構造のリチウムマンガン複合酸化物（以下「リチウム遷移金属複合酸化物」ともいう。）を有する正極副活物質、正極活物質および非水電解液二次電池に関する。
【手続補正３】
【補正対象書類名】明細書
【補正対象項目名】０００９
【補正方法】変更
【補正の内容】
【０００９】
本発明は、以下の（１）〜（１１）を提供する。
【手続補正４】
【補正対象書類名】明細書
【補正対象項目名】００１０
【補正方法】変更
【補正の内容】
【００１０】
（１）少なくともスピネル構造のリチウムマンガン複合酸化物を有する非水電解液二次電池用正極副活物質であって、
前記リチウムマンガン複合酸化物は、マンガンを除く遷移金属元素、周期表の２族、１３族および１４族の元素ならびにハロゲン元素からなる群から選ばれる少なくとも１種の元素を有し、かつ、
前記リチウムマンガン複合酸化物の結晶構造の１６ｃサイトにリチウムが存在する、非水電解液二次電池用正極副活物質。
【手続補正５】
【補正対象書類名】明細書
【補正対象項目名】００２３
【補正方法】変更
【補正の内容】
【００２３】
（７）少なくともスピネル構造のリチウムマンガン複合酸化物を有する非水電解液二次電池用正極副活物質であって、
前記リチウムマンガン複合酸化物は、一般式Ｌｉ１＋ａ＋ｂＭｃＭｎ２−ｂ−ｃＤｄＸｅＢｆＳｇＯ４＋ｈ（Ｍはアルミニウムおよび／またはマグネシウムを表し、Ｄはチタン、ジルコニウムおよびハフニウムからなる群から選ばれる少なくとも１種を表し、Ｘはフッ素、塩素、臭素およびヨウ素からなる群から選ばれる少なくとも１種を表し、ａは１６ｃサイトに存在するリチウムの組成比を表し、ｂは１６ｄサイトに存在するリチウムの組成比を表し、ａは０＜ａ＜１．０を満たす数を表し、ｂは−０．２≦ｂ≦０．２を満たす数を表し、ｃは０＜ｃ≦０．２を満たす数を表し、ｄは０≦ｄ≦０．１を満たす数を表し、ｅは０≦ｅ≦０．０５を満たす数を表し、ｆは０≦ｆ≦０．０２を満たす数を表し、ｇは０≦ｇ≦０．１を満たす数を表し、ｈは−０．５≦ｈ≦０．５を満たす数を表す。）で表される、非水電解液二次電池用正極副活物質。
【手続補正６】
【補正対象書類名】明細書
【補正対象項目名】００２５
【補正方法】変更
【補正の内容】
【００２５】
（８）リチウム化合物と、マンガン化合物と、マンガンを除く遷移金属元素、周期表の２族、１３族および１４族の元素ならびにハロゲン元素からなる群から選ばれる少なくとも１種の元素の化合物とを含有する原料混合物を得る工程と、
前記原料混合物を焼成し、粉砕して、スピネル構造のリチウムマンガン複合酸化物を得る工程と、
前記リチウムマンガン複合酸化物を、リチウムを含有する有機溶液に反応させ、非水電解液二次電池用正極副活物質を得る工程と
を有する、非水電解液二次電池用正極副活物質の製造方法。
（９）第１のリチウム遷移金属複合酸化物を有する主活物質と、第２のリチウム遷移金属複合酸化物を有する副活物質とを有する非水電解液二次電池用正極活物質であって、
前記副活物質は、上記（１）〜（７）のいずれかに記載の非水電解液二次電池用正極副活物質または上記（８）に記載の非水電解液二次電池用正極副活物質の製造方法により得られる非水電解液二次電池用正極副活物質である非水電解液二次電池用正極活物質。
【手続補正７】
【補正対象書類名】明細書
【補正対象項目名】００２７
【補正方法】変更
【補正の内容】
【００２７】
（１０）前記第１のリチウム遷移金属複合酸化物は、リチウムコバルト複合酸化物、リチウムニッケル複合酸化物およびリチウムマンガン複合酸化物からなる群から選ばれる少なくとも１種である上記（９）に記載の非水電解液二次電池用正極活物質。
【手続補正８】
【補正対象書類名】明細書
【補正対象項目名】００２９
【補正方法】変更
【補正の内容】
【００２９】
（１１）正極、負極、セパレータおよび非水電解液を有する非水電解液二次電池であって、下記Ｉを正極の正極活物質として、下記ＩＩを負極の負極活物質として用いる非水電解液二次電池。
Ｉ：上記（９）または（１０）に記載の非水電解液二次電池用正極活物質。
ＩＩ：リチウムイオンを吸蔵放出可能な炭素材料またはリチウムイオンを吸蔵放出可能な化合物からなる非水電解液二次電池用負極活物質。
【手続補正９】
【補正対象書類名】明細書
【補正対象項目名】００３７
【補正方法】変更
【補正の内容】
【００３７】
本発明の正極副活物質においては、リチウムマンガン複合酸化物は、マンガンを除く遷移金属元素、周期表の２族、１３族および１４族の元素ならびにハロゲン元素からなる群から選ばれる少なくとも１種の元素を有する。本発明の正極副活物質におけるリチウムマンガン複合酸化物の好適な態様としては、上記（２）〜（６）に記載したものが挙げられるが、中でも、以下の（ｉ）〜（ｘｉｉ）が好ましい。
【手続補正１０】
【補正対象書類名】明細書
【補正対象項目名】００５９
【補正方法】変更
【補正の内容】
【００５９】
（ｘｉ）リチウムマンガン複合酸化物が、一般式Ｌｉ１＋ａ＋ｂＭｃＭｎ２−ｂ−ｃＤｄＸｅＢｆＳｇＯ４＋ｈ（Ｍはアルミニウムおよび／またはマグネシウムを表し、Ｄはチタン、ジルコニウムおよびハフニウムからなる群から選ばれる少なくとも１種を表し、Ｘはフッ素、塩素、臭素およびヨウ素からなる群から選ばれる少なくとも１種を表し、ａは１６ｃサイトに存在するリチウムの組成比を表し、ｂは１６ｄサイトに存在するリチウムの組成比を表し、ａは０＜ａ＜１．０を満たす数を表し、ｂは−０．２≦ｂ≦０．２を満たす数を表し、ｃは０＜ｃ≦０．２を満たす数を表し、ｄは０≦ｄ≦０．１を満たす数を表し、ｅは０≦ｅ≦０．０５を満たす数を表し、ｆは０≦ｆ≦０．０２を満たす数を表し、ｇは０≦ｇ≦０．１を満たす数を表し、ｈは−０．５≦ｈ≦０．５を満たす数を表す。ただし、ｃとｄとｅとｆとｇとが同時に０になることはない。）で表される態様。